(57)【要約】【課題】従来のマスクシールを貼った例えばはがきにおいては、情報隠蔽の機能は充分であるが、宛先人名や差出人名の情報に関しては考慮されず、郵便箱から住居人の氏名や通信関係者名の情報を容易に得ることができていた、また郵政事業の民営化は更にこれらの情報の漏洩を加速することが苦慮される、本発明は郵便物の宛先人名や差出人名の情報を守る郵便物貼着用の情報隠蔽シートと熱を照射する加温器を提供することを目的とする。【解決手段】上記目的を達成するため、ベースシート面上の情報記録層が、常温においては透明で、常温より高い特定温度で異なる色に変色するサーモクロミックインキで印刷された透明の文字を有色の文字に変えるために加温器で熱を照射する。【特許請求の範囲】
【請求項１】
ベースシート面上の情報記録層が、常温において透明で、常温より高い特定温度で異なる色に変色するサーモクロミックインキで印刷されたことを特徴とする郵便物貼着用の情報隠蔽シート。
【請求項２】
常温において透明で、常温より高い特定温度で有色または異なる色に変色するサーモクロミックインキでベースシート面上に印刷された情報記録層に加温器で熱を照射することで文字を表示することを特徴とする郵便物貼着用の情報隠蔽シート。
【請求項３】
請求項２記載の加温器は熱体にランプを使用し、ランプからの熱を一定に拡散するためのレンズを具備し、携帯型で使用するために電池を電源とし、サーモクロミックインキの製造過程で確定された変色の温度値を設定する温度設定ツマミを具備する。
【発明の詳細な説明】
【技術分野】
【０００１】
本発明は、はがきや封書やダイレクトメール等の宛先人や差出人のプライバシー保護に関しシートに記載した文字を見えないように隠蔽し、必要な状況で隠蔽状態を解除して見ることのできる郵便物貼着用の情報隠蔽シートに関する。
【背景技術】
【０００２】
従来、情報隠蔽シートは、例えば、マスクシールを貼ったはがき上の情報記録部を印刷し、その上に不透明な接着ラベルを貼り付けて隠蔽する。このようにすると、情報記録部は接着ラベルに覆われて識別できないので、配送過程での秘密が守られる。はがきの受取人は、擬似接着ラベルを剥がして情報記録部を見るようになっている。
【特許文献１】特開２０００−４３４５３号公報
【発明の開示】
【発明が解決しようとする課題】
【０００３】
従来のマスクシールを貼った例えばはがきにおいては、情報隠蔽の機能は充分であるが、宛先人名や差出人名等の情報に関しては考慮されず、郵便箱から宛先人名や通信関係者名の情報を容易に知り得ることで情報を得ることが可能であった、また郵政事業の民営化は更にこれらの情報の漏洩を加速することが苦慮される、本発明は郵便物の宛先人や差出人のプライバシィーを守る郵便物貼着用の情報隠蔽シートを提供することを目的とする。
【課題を解決するための手段】
【０００４】
上記目的を達成するため、請求項１記載の発明は、ベースシート面上の情報記録層が、常温において透明で、常温より高い特定温度で異なる色に変色するサーモクロミックインキで印刷されたことを特徴とする。
【０００５】
また請求項２記載の発明は、常温において透明で、常温より高い特定温度で有色または異なる色に変色するサーモクロミックインキで、ベースシート面上に印刷された情報記録層に熱を照射する加温器を使用して文字を表示することを特徴とする。
【０００６】
また請求項３記載の発明は、請求項２記載の加温器は熱源にランプを使用し、ランプからの熱を一定に拡散するためのレンズを具備し、携帯型で使用するために電池を電源とし、サーモクロミックインキの製造過程で確定された変色の温度値を設定する温度設定ツマミを具備することを特徴とする。
【発明の効果】
【０００７】
請求項１記載の発明によれば、情報記録層は常温において透明で、常温より高い特定温度で異なる色に変色するサーモクロミックインキでベースシート面上に印刷され、常温で使用しているときは、視覚上、情報が隠され秘密が守られる。
【０００８】
請求項２記載の発明によれば、常温において透明で、常温より高い特定温度で有色または異なる色に変色するサーモクロミックインキでベースシート面上に情報記録層を印刷しておき、その後に、常温における透明の文字の情報記録層を加温器で熱を照射することにより、特定温度でベースシート面上の情報記録層が加温されて隠蔽された文字を読むことができる。
【０００９】
請求項３の記載の発明によれば、加温器は熱源にランプを使用し、ランプからの熱を一定に拡散するためにレンズを具備し、携帯型で使用するために電池を電源とする。サーモクロミックインキの製造段階で確定された変色の温度値を設定する温度設定ツマミを具備することで、特定の温度を設定することが可能で、特定温度に達したときに隠蔽された文字情報が変色して有色となり解読することができる、温度が下がれば文字情報は元の透明な文字に戻る。
【発明を実施するための最良の形態】
【００１０】
ベースシート面上の情報記録層が、常温において透明で、常温より高い特定温度で異なる色に変色するサーモクロミックインキで印刷し、常温において透明で、常温より高い特定温度で有色または異なる色に変色するサーモクロミックインキでベースシート面上に印刷された情報記録層に加温器で熱を照射することで表示する。
【実施例】
【００１１】
以下に実施例を挙げ、本発明の郵便物貼着用の情報隠蔽シートについて、図面を参照して詳細に説明する。
図１は、本発明に係る郵便物貼着用の情報隠蔽シートの実施の形態を示す断面図であり、図２は、本発明に係る郵便物貼着用の情報隠蔽シートの郵便物の実施の形態を示す正面図である。
【００１２】
図１において、情報隠蔽シート１はベースシート３面上に情報記録層２が印刷されている。前記情報記録層２に使用されているインキは、常温において透明で、常温より高い特定温度で有色または異なる色に変色するサーモクロミックインキである。
【００１３】
前記ベースシート３面上に、情報記録層２の常温における透明な文字で宛先人名２a又は差出人名２ｂの情報記録層２が印刷されている、情報の書き方は、最も一般的な例は、コンピュータ出力のプリンタによる印字であるが、他の手段、例えば、手書きでもよい。
【００１４】
本発明の情報隠蔽シート１は、ベースシート３に印刷された情報記録層２と加温器４で構成される、ベースシート３に印刷された情報記録層２は常温では透明な文字で見ることができないが、加温器４で熱を照射すると、特定の温度値によって情報記録層２は透明から有色に変化して情報を見ることができる、そのときの加温値はサーモクロミックインキの製造段階で確定される。
【００１５】
加温器４は熱源にランプ４aを使用し、ランプの熱を一定に拡散し照射するためにレンズ４bを具備している、携帯型で使用するために電池４dを電源とする、サーモクロミックインキの製造段階で確定された変色の温度値を設定する温度設定ツマミ４cを具備している。サーモクロミックインキの特性によってはランプの種類を赤外線ランプやＵＶランプや紫外線ランプを使用してもよいし、ランプの変わりに電熱線を使用しファンで熱を照射しても良い。
【００１６】
通常、郵便物４に情報隠蔽シート１に情報が印刷されてから、配送されるまでの間は、常温の環境にあるので、情報記録層２は読み取ることはできず、情報の秘密が守られる。郵便物５の配達人は、情報隠蔽シート１の表面に前記加温器４で熱を照射して情報記録層２を読み取る。情報隠蔽シート１は、特定の温度値になるとサーモクロミックインキが透明から異なる色に有色し、文字が肉眼で読み取ることができるようになる。
【００１７】
図２における実施の形態では、郵便物５に情報隠蔽シート１が貼着されている、情報隠蔽シート１はベースシート３面上に情報記録層２が印刷されている。この情報記録層２に使用されるインキは、常温において透明で、常温より高い特定温度で異なる色に変色するサーモクロミックインキである。例えばサーモクロミックインキが透明から異なる色に変わる温度値をベースシート３の素地の色で予め決めておくこともできるし、番号や名称で温度値を表記することもできる。
【００１８】
図２の郵便物４の場合、郵便物４を正面から見ると、情報隠蔽シート１が上下に２枚貼着している、上の情報隠蔽シート１は宛先人名２ａの情報が記載されており、下の情報隠蔽シート１は差出人名２ｂの情報が記載されている、郵便物５の配達人は常温環境においては、宛先人名２ａも差出人名２ｂも透明であるため情報記録層２を肉眼で読み取ることはできず情報が守られる。郵便物４を配達する配達人は加温器４の熱を照射して透明な文字を有色の文字に変えて肉眼で読み取り配達を行う、配達後に情報記録層２の温度が常温に戻ると再び文字情報は透明になる、そのため郵便箱から第三者が郵便物４を無断で見ても宛先人名や差出人名を読み取ることができないのでプライバシーが守れる。郵便物５を受け取った受取人は、情報記録層２の表面に加温器４で特定温度値に温度設定ツマミ４ｃで合わせて宛先人名と差出人名を読み取ることができる。
【産業上の利用可能性】
【００１９】
本発明は、ベースシート面上の情報記録層が、常温において透明で、常温より高い特定温度で異なる色に変色するサーモクロミックインキで印刷し、常温において透明で、常温より高い特定温度で有色または異なる色に変色するサーモクロミックインキでベースシート面上に印刷された情報に加温器で熱を照射して表示する郵便物貼着用の情報隠蔽シートの用途に適用できる。
【図面の簡単な説明】
【００２０】
【図１】この発明に係わる郵便物貼着用の情報隠蔽シートの実施の形態を示す断面図である。
【図２】この発明に係わる郵便物貼着用の情報隠蔽シートの郵便物の実施の形態を示す正面図である。
【符号の説明】
【００２１】
１    情報隠蔽シート
２    情報記録層
２ａ  宛先人名
２ｂ  差出人名
３    ベースシート
４    加温器
４ａ  ランプ
４ｂ  レンズ
４ｃ  温度設定ツマミ
４ｄ  電池
５    郵便物
【図１】
2005169636.tif 000002
【図２】
2005169636.tif 000003